(57)【特許請求の範囲】
【請求項１】
秤の本体の、被測定物を直接積載可能な面積を持つ荷重を受ける面を有する荷重受け部に着脱する着脱部と、前記秤の本体の荷重受け部に前記着脱部を取付けた際に前記秤の本体の表面と隙間をもちながら前記着脱部から前記秤の本体の底面付近までを取り囲む取囲部とを備える計量皿であって、
前記着脱部は、前記荷重を受ける面から側面に掛けてぴったりと合うように入れ込むキャップ形状を成すことを特徴とする計量皿。
【請求項２】
前記秤の本体の表示部に位置する部分を透明とする透明部を有する前記取囲部であることを特徴とする請求項１記載の計量皿。
【請求項３】
積載された荷重を受ける荷重受け部を有する本体と、前記本体の荷重受け部に着脱する着脱部と、前記本体の荷重受け部に前記着脱部を取付けた際に前記本体の表面と隙間をもちながら前記着脱部から前記本体の底面付近までを取り囲む取囲部とを有する計量皿と、を備える秤であって、
前記荷重受け部は、被測定物を直接積載可能な面積を持つ荷重を受ける面を有し、前記着脱部は、前記荷重受け部の荷重を受ける面から側面に掛けてぴったりと合うように入れ込むキャップ形状を成すことを特徴とする秤。
【請求項４】
積載された荷重の結果を表示する表示部を前記本体に有し、前記本体の表示部に位置する部分を透明とする透明部を有する前記計量皿の取囲部であることを特徴とする請求項３記載の秤。
【発明の詳細な説明】
【０００１】
【発明の属する技術分野】
本発明は、秤の本体への水濡れ、粉塵及び汚れを防止する計量皿に関する。更に、この計量皿を有する秤に関する。
【０００２】
【従来の技術】
秤本体のケーシングと皿受け部材との間をベローズで覆って、ケーシングと皿受け部材の隙間からの水や粉塵の浸入を防ぎ、更に、一端を秤本体のケーシングの底の外部に開口すると共に、他端を秤本体のケーシング内の上部に開口する筒状部材を有して、秤本体のケーシング内圧と外気圧との差圧の影響による誤差の発生を防ぐものが開示されている（特開平１１−２５８０３２号公報参照）。この開示された秤は、特に厨房等の水に濡れ易い場所や粉塵の多い場所で使用されるものとして有用である。
【０００３】
【発明が解決しようとする課題】
しかしながら、使用により秤本体が汚れた場合には、秤本体のケーシングの底の開口部から水が浸入しないように気を配りながら秤本体ごと洗ったり、秤本体の汚れた部分を細かに手間を掛けながら拭き取ったりしなければならず、手入れが面倒であった。
【０００４】
そこで、本発明は、上記のような従来の問題点を解決することを目的とするもので、使用時における秤の本体内部への水や粉塵の浸入を防止しつつ、汚れ等の手入れが簡単に行える計量皿及び秤を提供することを課題とする。
【０００５】
【課題を解決するための手段】
上記目的を達成するために、本発明の計量皿は、秤の本体の、被測定物を直接積載可能な面積を持つ荷重を受ける面を有する荷重受け部に着脱する着脱部と、前記秤の本体の荷重受け部に前記着脱部を取付けた際に前記秤の本体の表面と隙間をもちながら前記着脱部から前記秤の本体の底面付近までを取り囲む取囲部とを備える計量皿であって、前記着脱部は、本体の荷重受け部の荷重を受ける面から側面に掛けてぴったりと合うように入れ込むキャップ形状を成すことを特徴とする。また、本発明の秤は、積載された荷重を受ける荷重受け部を有する本体と、前記本体の荷重受け部に着脱する着脱部と、前記本体の荷重受け部に前記着脱部を取付けた際に前記本体の表面と隙間をもちながら前記着脱部から前記本体の底面付近までを取り囲む取囲部とを有する計量皿と、を備える秤であって、被測定物を直接積載可能な面積を持つ荷重を受ける面を有し、前記着脱部は、前記荷重受け部の荷重を受ける面から側面に掛けてぴったりと合うように入れ込むキャップ形状を成すことを特徴とする。
【０００６】
これらによると、秤の本体の荷重受け部に計量皿の着脱部を取付けた際に、秤の本体の表面と隙間をもちながら、計量皿の取囲部が着脱部から秤の本体の底面付近までを取り囲むので、水や粉塵等が秤の本体の荷重受け部の周囲の隙間から使用時に容易に浸入することがなくなる。その上、使用時に汚れが秤の本体へ容易に付着することがなくなる。更に、秤の本体の荷重受け部から計量皿を取り外し、計量皿だけを丸洗いして計量皿に付着した汚れを落とすことができる。
【０００７】
また、本発明の計量皿は、前記秤の本体の表示部に位置する部分を透明とする透明部を有する前記取囲部であることを特徴とする。また、本発明の秤は、積載された荷重の結果を表示する表示部を前記本体に有し、前記本体の表示部に位置する部分を透明とする透明部を有する前記計量皿の取囲部であることを特徴とする。
【０００８】
これらによると、秤の本体に計量皿を取付けた際に、計量皿の取囲部で囲まれる本体の表示部を透明部を通して見ることができると共に、使用時に汚れが秤の本体の表示部に対しても容易に付着することがなくなる。
【０００９】
【発明の実施の形態】
以下、本発明の実施の形態について図面を用いて説明する。なお、本発明の秤を構成する計量皿に関連させて、本発明の計量皿についても一緒に説明する。
【００１０】
図１は本発明に係わる秤を示す外観図であり、図２は秤の本体に計量皿を取付けた状態を示す外観図であり、図３は秤の本体に計量皿を取付けた状態の断面を示す断面図である。これら図に示されるように本発明の秤１は、大別すると、本体１１と計量皿３１とから構成する。
【００１１】
本体１１は、荷重を検出し電気信号に変換するための重量センサー１２、この重量センサー１２で変換された電気信号を増幅・Ａ／Ｄ変換・演算・記憶・制御などの処理を行う電子回路基板１３等をケーシング１５の内部に配設する。
【００１２】
また、本体１１は、積載された荷重を受ける荷重受け部１４を重量センサー１２の可動側からケーシング１５の外部へと配設する。なお、このとき荷重受け部１４の周囲とケーシング１５との間には隙間ｄ１を有する。また、荷重受け部１４は、計量皿３１を取付けなくても被測定物を直接積載可能な面積をもつ荷重を受ける面１６を有する。そして、この荷重を受ける面１６の中央部には、たまご等の丸い形状の被測定物がころがらないようにするための窪み１７を形成する。
【００１３】
更に、本体１１は、積載された荷重の結果を表示する表示部１８、電源を投入する電源スイッチ１９、計量皿３１を使用するときと使用しないときの零点を切替える切替スイッチ２０をケーシング１５の外部の正面に配設し、脚２１をケーシング１５の外部の底面に配設する。なお、表示部１８、電源スイッチ１９、切替スイッチ２０は、ケーシング１５の内部の電子回路基板１３に接続している。
【００１４】
計量皿３１は、受け皿部３２と着脱部３３と取囲部３４とから成る。受け皿部３２は、被測定物を積載する部位である。そして、受け皿部３２の中央部には、たまご等の丸い形状の被測定物がころがらないようにするための窪み３５を形成する。着脱部３３は、この受け皿部３２の裏側に設けられ、本体１１の荷重受け部１４に着脱する部位である。そして、本体１１の荷重受け部１４の荷重を受ける面１６から側面にかけてぴったりと合うように入れ込むキャップ形状を成す。取囲部３４は、本体１１の荷重受け部１４に着脱部３３を入れ込み、本体１１に計量皿３１を取付けた際に、本体１１の表面と隙間ｄ１をもちながら着脱部３３から本体１１の底面付近までを取り囲む部位である。そして、本体１１の表示部１８に位置する部分が透明な透明部３６を有する。
【００１５】
図４は、本発明に係わる秤の使用手順を示すフローチャートである。本発明の秤１を使用するには、まず、電源スイッチ１９を押し、電源を投入する。このとき表示部１８は０表示する（ステップ１）。なお、ここで本件の計量皿３１を使用しない場合には、荷重受け部１４の荷重を受ける面１６に被測定物を積載することにより、公知の秤と同様に使用することで計測可能である。
【００１６】
続いて、切替スイッチ２０を押し、計量皿３１を使用するための零点に切替える（ステップ２）。零点が切替わると、表示部１８は、本件の計量皿３１の重さ分をマイナスした表示となる。なお、切替スイッチ２０を繰り返し押すごとに、計量皿３１を使用するときの零点を示す表示と、計量皿３１を使用しないときの零点を示す表示とが交互に切替わる。
【００１７】
続いて、本件の計量皿３１の着脱部３３を本体１１の荷重受け部１４に入れ込み、本体１１に計量皿３１を取付ける（ステップ３）。このとき、本件の計量皿３１の取囲部３４の透明部３６が本体１１の表示部１８が設けられている位置となるようにする。計量皿３１が取付けられると計量皿３１の重さが加わるので、表示部１８は、本件の計量皿３１の重さ分をマイナスした表示から０表示となる。
【００１８】
続いて、本件の計量皿３１の受け皿部３２に被測定物を積載する（ステップ４）。このとき、被測定物の結果が表示部１８に表示されるので、取囲部３４の透明部３６を通して確認する。
【００１９】
続いて、引き続き測定する場合には、被測定物をおろし（ステップ５）、ステップ４に戻って繰り返す。
【００２０】
上述したように、本発明の秤１は、本体１１の荷重受け部１４に計量皿３１の着脱部３３を取付けることにより、計量皿３１の取囲部３４が着脱部３３から本体１１の底面付近までを取り囲むので、使用時に汚れが本体１１の底面を除く表面全体に対して容易に付着することがなくなると共に、水や粉塵等が本体１１の荷重受け部１４の周囲の隙間ｄ１から使用時に容易に浸入することがなくなる。加えて、本体１１の荷重受け部１４から計量皿３１を取り外し、計量皿３１だけを丸洗いして計量皿３１に付着した汚れを落とすことができるので手入れが容易である。なお、計量皿３１の取囲部３４が着脱部３３から本体１１の底面付近までを取り囲んだときに、本体１１の底面を除く本体１１の表面の８割程度以上の範囲とすれば、特に本体１１への汚れの付着や本体１１内部への水や粉塵等の浸入の防止に優れる。
【００２１】
なお、上述した実施の形態では、本体１１に表示部１８を有するため、取囲部３４に透明部３６を有する計量皿３１としたが、表示部１８が本体１１と離れて別体に有する秤であれば、計量皿３１の取囲部３４に透明部３６を有していなくてもよい。
【００２２】
また、計量皿３１については、上述した秤１の本体１１に限らず、着脱部３３を別の秤の本体の荷重受け部に合うようにし、別の秤の本体の荷重受け部に着脱部を取付けた際に、別の本体の表面と隙間をもちながら着脱部から別の本体の底面付近までを取り囲む取囲部としても実施可能である。更には、別の本体の表示部に位置する部分を透明とする取囲部としても実施可能である。
【００２３】
また、図５は、受け皿部がカップ状の計量皿である。図６は受け皿部が薄皿状の計量皿である。これら図５、図６に示されるように、計量皿４１、４２は、カップ状や薄皿状のような計量の目的に応じた形態を成す受け皿部４３、４４であってもよい。計量皿の着脱部を本体の荷重受け部から取り外し、受け皿部の被測定物を他の容器へ移すのに便利である。
【００２４】
【発明の効果】
以上説明したように、本発明の計量皿及び秤は、秤の本体の荷重受け部に計量皿の着脱部を取付けた際に、秤の本体の表面と隙間をもちながら、計量皿の取囲部が着脱部から秤の本体の底面付近までを取り囲むので、水や粉塵等が秤の本体の荷重受け部の周囲の隙間から使用時に容易に浸入することを防ぐ。かつ、秤の本体に使用時の汚れの付着を防ぐと共に、秤の本体の荷重受け部から計量皿を取り外して計量皿だけを丸洗いして計量皿に付着した汚れを落とすことができるので汚れ等の手入れが簡単に行える。
【００２５】
また、秤の本体の表示部に位置する部分を透明とする透明部を有する取囲部であるので、秤の本体に計量皿を取付けた際に、透明部を通して計量皿の取囲部で囲まれる本体の表示部を見ることができると共に、使用時に汚れが秤の本体の表示部に対しても容易に付着することがなくなり、より汚れ等の手入れが簡単になる。
【図面の簡単な説明】
【図１】本発明に係わる秤を示す外観図である。
【図２】秤の本体に計量皿を取付けた状態を示す外観図である。
【図３】秤の本体に計量皿を取付けた状態の断面を示す断面図である。
【図４】本発明に係わる秤の使用手順を示すフローチャートである。
【図５】受け皿部がカップ状の計量皿である。
【図６】受け皿部が薄皿状の計量皿である。
【符号の説明】
１  秤
１１  本体
１２  重量センサー
１３  電子回路基板
１４  荷重受け部
１５  ケーシング
１６  荷重を受ける面
１７、３５  窪み
１８  表示部
１９  電源スイッチ
２０  切替スイッチ
２１  脚
３１、４１、４２  計量皿
３２、４３、４４  受け皿部
３３  着脱部
３４  取囲部
３６  透明部
ｄ１、ｄ２  隙間
【図１】
0003748217.tif 000002
【図２】
0003748217.tif 000003
【図３】
0003748217.tif 000004
【図４】
0003748217.tif 000005
【図５】
0003748217.tif 000006
【図６】
0003748217.tif 000007